(57)【要約】      （修正有）【課題】総菜も収納でき、食するときに簡便に海苔が巻ける簡素で安価なおにぎり弁当箱を提供する。【解決手段】おにぎりは、食するときに海苔を巻くとパリパリ感があって美味しくいただける。本考案のおにぎり弁当箱は、総菜の収納部２とご飯の収納部３を長手方向に配置し上面に蓋を備えた容器である。このご飯の収納部３は上段部３ａと下段部３ｂに分割されており、平面視コ字状であり、側板７の長手方向に設けたガイド７ａに沿って引き出し可能としている。そして、食するときは、ご飯の収納部３を引き出して、巻き簾から容器を引き出すことにより、ご飯に手を触れることなく海苔が巻付いた美味しいおにぎりが簡便にできる。【選択図】図１
0003149980.tif 000002
【実用新案登録請求の範囲】
【請求項１】
総菜の収納部とご飯の収納部を長手方向に配置し上面に蓋を備えた容器であって、該ご飯の収納部を上下に分割し、下段部は底板を有する平面視コ字状として、側板の長手方向に設けたガイドに沿って引き出し可能としたことを特徴とするおにぎり弁当箱。
【請求項２】
前記ご飯の収納部は、上段部も平面視コ字状とし、側板の長手方向に設けたガイドに沿って引き出し可能としたことを特徴とする請求項１記載のおにぎり弁当箱。
【請求項３】
総菜の収納部を中央としてその両側にご飯の収納部を配置したことを特徴とする請求項１または請求項２記載のおにぎり弁当箱。
【請求項４】
総菜の収納部とご飯の収納部を長手方向に配置し上面に蓋を備えた容器であって、該ご飯の収納部を上下に分割し、下段部は底板を備え、上段部および下段部とも平面視コ字状として側板の長手方向に設けたガイドに沿って引き出し可能とし、該容器の外周に海苔を配して巻き簾で巻いたことを特徴とするおにぎり弁当箱。
【考案の詳細な説明】
【技術分野】
【０００１】
本考案は、おにぎりと総菜を収納できるおにぎり弁当箱に関するものである。
【背景技術】
【０００２】
おにぎりは、コンビニエンスストアなどで購入するのが多いが、家庭で好みのものを造りたいという要望も少なくない。しかしながら、家庭で造る場合は、おにぎりに海苔を巻いたものとするため、食べるとき海苔が湿気でパリパリ感がないので美味しくない。
そこで、海苔を食するときに外装するようにしたおにぎり弁当箱が開発されている（特許文献１参照）。
【先行技術文献】
【特許文献】
【０００３】
【特許文献１】特開２００４ー４９１８７
【考案の概要】
【考案が解決しようとする課題】
【０００４】
特許文献１のおにぎり弁当箱は、縦方向に左右に分割できるご飯の収納部を立設し、上方に海苔を別途収納し該ご飯を圧縮成形する蓋を設けたもので、ご飯の収納部へご飯を投入するだけで、簡便におにぎりができ、取り出すことができる。
このおにぎり弁当箱は、携帯時は、硬い容器内に収納されるので、潰れたりすることもなく、また、おにぎりを取り出しやすいものと言える。しかしながら、構造が複雑で制作費が嵩むばかりでなく、総菜を収納することができないので、そのための容器を別途必要とするという問題がある。
【０００５】
そこで、本考案は、総菜も収納でき、食するときに簡便に海苔が巻ける簡素で安価なおにぎり弁当箱を提供することを目的としている。
【課題を解決するための手段】
【０００６】
上記の課題を解決するため、請求項１の考案のおにぎり弁当箱は次のように構成した。すなわち、総菜の収納部とご飯の収納部を長手方向に配置し上面に蓋を備えた容器であって、該ご飯の収納部を上下に分割し、下段部は底板を有する平面視コ字状として、側板の長手方向に設けたガイドに沿って引き出し可能としたことを特徴としている。
【０００７】
容器の形状は、直方体や楕円状など特に限定するものではないが、直方体にすれば製造がより容易である。
総菜の収納部は、おかずや果物などを収納する通常の弁当箱のものと同様のものでよく、必要により仕切を設けるとよい。
ご飯の収納部は１カ所でもよいが、２カ所、すなわち２個のおにぎりを収納できるようにするのが望ましい。この場合は、請求項３に記載のように、総菜の収納部を中央にして両側にご飯の収納部を配置する。
【０００８】
ご飯の収納部は、食するときにご飯を下方へ落下させて取出すことができるようにしている。
ところで、ご飯は、周囲の壁との摩擦が大きいので、底板のみを開放しただけでは落下させることはできない。この考案では、ご飯の収納部を上下に分割し、底板を有する下段部を引き出し可能とすることにより、ご飯を簡便に下方へ落下させるようにしている。なお、上段部は、固定してもよいが、ご飯をスムーズに落下させるには、請求項２に記載のように、下段部と同様に引き出し可能とするのがよい。
下段部の大きさは、ご飯の収納部の大きさや材質などで適宜に選定するが、少なくとも上段部より大きくするのがよい。
側板に設けるガイドは、下段部をスムーズに引き出すためのもので、その構成は特に問わないが、凸条のものとし、これに係合する下段部側には溝を形成するとよい。なお、必要ならば、引き出しをロックする手段を別途設ければよい。
【０００９】
請求項４の考案のおにぎり弁当箱は、総菜の収納部とご飯の収納部を長手方向に配置し上面に蓋を備えた容器であって、該ご飯の収納部を上下に分割し、下段部は底板を備え、上段部および下段部とも平面視コ字状として側板の長手方向に設けたガイドに沿って引き出し可能とし、該容器の外周に海苔を配して巻き簾で巻いたことを特徴としている。
【００１０】
ここで、総菜の収納部とご飯の収納部を備え、ご飯の収納部を上下に分割した容器は、上記の請求項１記載のおにぎり弁当箱と同様である。すなわち、請求項４の考案は、請求項１のおにぎり弁当箱において、ご飯の収納部の上段部を引き出せるものに限定するとともに、海苔を配して巻き簾で巻いたものである。
なお、海苔の代わりに鰹節のシートを用いてもよい。また、巻き簾の洗浄を省くため、巻き簾の上にラップを敷いて海苔を置いてもよい。
【考案の効果】
【００１１】
請求項１の考案のおにぎり弁当箱は、上記のように、ご飯の収納部を上下に分割し、下段部は底板を有する平面視コ字状とし、側板の長手方向に設けたガイドに沿って引き出し可能としたので、食するときにご飯を容易に取り出せ、簡便におにぎりとすることができる。また、おにぎり弁当箱の構造が簡素であるので、使用後の洗浄が容易であるばかりでなく、安価に製造できる。
【００１２】
また、ご飯の収納部の上段部も引き出し可能（請求項２）とすれば、おにぎりをより簡単に取り出すことができる。また、総菜の収納部を中央としてその両側にご飯の収納部を配置（請求項３）すれば、適宜の大きさのおにぎりにできる。
【００１３】
また、請求項４の考案のおにぎり弁当箱は、請求項１のおにぎり弁当箱の外周に海苔を配して巻き簾で巻いているので、食するときに、ご飯の収納部の下段部と上段部を引き出して容器をずらせば、ご飯に手を触れることなく海苔を巻いて適度に握られたパリパリ感のある美味しいおにぎりが簡便にできる。
【図面の簡単な説明】
【００１４】
【図１】請求項１の考案のおにぎり弁当箱の実施の形態を示す斜視図である。
【図２】同、（ａ）は右側のご飯の収納部の上段部と下段部の両方を引き出した状態を示す平面図で、（ｂ）は上段部の平面図、（ｃ）は下段部の平面図である。
【図３】請求項４の考案のおにぎり弁当箱の実施の形態を示す斜視図である。
【図４】同、ご飯を巻き簾で巻いておにぎりを造り、巻き簾を拡げた状態を示す平面図である。
【考案を実施するための形態】
【００１５】
請求項１の考案のおにぎり弁当箱の実施の形態を図１および図２に基づいて説明する。図１はおにぎり弁当箱１の蓋を取り外した状態の全体を示す斜視図で、図２は平面図である。
このおにぎり弁当箱１は、ここでは合成樹脂製の直方体の形状をしており、中央に総菜の収納部２を配置し、その両側にご飯の収納部３をそれぞれ配置している。
総菜の収納部２は側板７に２枚の仕切板２ｂと底板２ｃを固設して形成される空間であり、ご飯の収納部３は、上下に分割された平面視コ字状の上段部３ａおよび下段部３ｂと仕切板２ｂとで形成される空間としている。
【００１６】
上段部３ａおよび下段部３ｂは側板７に形成されたガイド７ａに沿って引き出すことが可能であり、上段部３ａ下段部３ｂとも引き出したときは、図２（ａ）に示すように、ご飯の収納部３は側板７があるのみとなる。なお、ガイド７ａは、凸条としており、これに係合する上段部３ａおよび下段部３ｂの所定位置には溝４，５が形成されている。また、上段部３ａおよび下段部３ｂには、これを引き出すための把手６が固設されている。
【００１７】
次に、このように構成されたおにぎり弁当箱１の使い方について説明する。
まず、ご飯を投入するときは、ご飯の収納部３の蓋３ｄを開け、軽く塩を底に撒く。そして、ご飯を収納部の中程まで入れ、塩鮭、明太子、イクラ、梅干しなど好みのものを入れて、ご飯を上まで入れる。次に、ご飯を上から軽く押圧して固め、もう一度塩を軽く撒いて、蓋３ｄをする。そして、中央の総菜の収納部２にはおかずや果物を入れる。ご飯と総菜を収納したら、風呂敷ないし袋にラップに包んだ海苔とともにいれて、弁当として持ち運ぶ。
【００１８】
弁当を食するときは、おにぎり弁当箱１を持ち上げ、ご飯の収納部３の下方に海苔を置き、ご飯の収納部３の下段部３ｂを引き出す。なお、このとき、上段部３ａは、固定されている。下段部３ｂを引き出すと、ご飯がこれに連なって引き出されようとするが、ご飯が固められているので、上段部３ａの把手６を固設した部材の内側に当接した状態で留まる。下段部３ｂが完全に引き出されると、底が開放され、海苔上に落下する。なお、落下しないときは、上から押して落とせばよい。そして、海苔でくるんで軽く握ればおにぎりができあがる。
【００１９】
次に、請求項４記載のおにぎり弁当箱１０の実施の形態について、図３および図４に基づいて説明する。
このおにぎり弁当箱１０の構成は、上記説明したおにぎり弁当箱１に海苔を介して巻き簾１１を巻き、バンド１３で、緊締したものである。巻き簾１１は、ご飯の収納部３が左右２つあることから、左用と右用の２個使用している。
【００２０】
続いて、おにぎり弁当箱１０の使い方を説明する。
総菜およびご飯の収納については、上記と同じであるので、省略する。なお、図３は、総菜およびご飯を収納した容器を、海苔を置いた巻き簾１１に載せて巻付ける状態を示している。
【００２１】
弁当を食するときは、おにぎり弁当箱１０をテーブルなど平らなところに置いて、巻き簾１１を上から抑えてご飯の収納部３の下段部３ｂを引き出す。これにより、ご飯は上段部３ａに係止して引き出されることなく、下方へ落下する。続いて、上段部３ａを引き出す。下段部３ｂの引き出し時には、ご飯が落下しなかった場合でも、上段部３ａを引き出すことによって、確実に落下する。
【００２２】
次に、巻き簾１１が巻かれたままの状態で、片手で巻き簾１１を持ってもう片方の手で容器を持って巻き簾１１から抜き取るようにゆっくり横へ移動させる。そして完全に抜き取る。
続いて、バンド１３を外し、巻き簾１１を適当な力で握る。これにより、手で握ったよりもより好ましい状態のおにぎりができる。図４は、握り終わって、巻き簾１１を開いた状態を示している。
なお、巻き簾１１は、使用後洗って乾燥するが、面倒な場合は、巻き簾１１の上にラップを介して海苔１２を置くようにしてもよい。
【符号の説明】
【００２３】
１  おにぎり弁当箱
２  総菜の収納部
２ａ  蓋
２ｂ  仕切板
２ｃ  底板
３  ご飯の収納部
３ａ  上段部
３ｂ  下段部
３ｃ  底板
３ｄ  蓋
４  溝
５  溝
６  把手
７  側板
７ａ  ガイド
１０  おにぎり弁当箱
１１  巻き簾
１２  海苔
１３  バンド
【図１】
0003149980.tif 000003
【図２】
0003149980.tif 000004
【図３】
0003149980.tif 000005
【図４】
0003149980.tif 000006